(57)【要約】【課題】  1台の補助記憶装置で一度に擬似できるフレキシブルディスク媒体が1枚だけである。【解決手段】  １枚のフレキシブルディスク媒体に記録可能なデータを保持する記憶領域を複数含むデータ記憶手段と、第１の設定状態を示す情報を出力する切替スイッチ手段と、外部装置からリクエストを受信して出力し、リクエストの応答を受け取って外部装置へ送信するインタフェース手段とリクエストを受け取り、第１の設定状態を示す情報に基づいて選択した記憶領域を利用して、リクエストに対応するフレキシブルディスク媒体をセットしたフレキシブルディスクドライブを擬似する処理を実行し、処理を実行した結果を応答として出力する制御手段と、を有する。【選択図】      図１
2013143035.tif 000002
【特許請求の範囲】
【請求項１】
１枚のフレキシブルディスク媒体に記録可能なデータを保持する記憶領域を複数含むデータ記憶手段と、
第１の設定状態を示す情報を出力する切替スイッチ手段と、
外部装置からリクエストを受信して出力し、前記リクエストの応答を受け取って前記外部装置へ送信するインタフェース手段と
前記リクエストを受け取り、前記第１の設定状態を示す情報に基づいて選択した前記記憶領域を利用して、前記リクエストに対応する前記フレキシブルディスク媒体をセットしたフレキシブルディスクドライブを擬似する処理を実行し、前記処理を実行した結果を応答として出力する制御手段と、を有する
補助記憶装置。
【請求項２】
前記フレキシブルディスク媒体がセットされているか否かを示す媒体セット情報を出力する媒体セット指示手段を更に有し、
前記制御手段は、前記媒体セット情報が、前記フレキシブルディスク媒体がセットされていないことを示している場合、前記フレキシブルディスク媒体がセットされていない状態のフレキシブルディスクドライブを擬似する処理を実行し、前記処理を実行した結果を応答として出力する
ことを特徴とする請求項１記載の補助記憶装置。
【請求項３】
前記媒体セット指示手段は、前記切替スイッチ手段の前記第１の設定状態が、前記フレキシブルディスク媒体がセットされていないことを示す予め定められた第２の設定状態に設定されたことに基づいて、前記フレキシブルディスク媒体がセットされていないことを示す前記媒体セット情報を出力する
ことを特徴とする請求項２記載の補助記憶装置。
【請求項４】
前記制御手段は、前記第１の設定状態を示す情報が、他の前記第１の設定状態を示す情報へ変化した場合に、変化後の前記第１の設定状態を示す情報に対応するフレキシブルディスク媒体がセットされたことを示す注意報告を生成して出力し、
前記インタフェース手段は、前記注意報告を受け取り、前記外部装置へ送信する
ことを特徴とする請求項１乃至３のいずれか1項記載の補助記憶装置。
【請求項５】
前記制御手段は、前記第１の設定状態を示す情報が、他の前記設定状態を示す情報へ変化した場合に、フレキシブルディスクドライブが抜き取られたことを示す注意報告を生成して出力し、
前記インタフェース手段は、前記注意報告を受け取り、前記外部装置へ送信する
ことを特徴とする請求項１乃至４のいずれか１項記載の補助記憶装置。
【請求項６】
前記フレキシブルディスクドライブとして動作をするか否かを設定され、前記動作をするか否かを示す動作情報を出力する動作指示手段を更に有し、
前記制御手段は、前記動作情報が、前記フレキシブルディスクドライブとして動作をしないことを示している場合、前記フレキシブルディスクドライブ以外の記憶装置として処理を実行し、前記処理を実行した結果を応答として出力する
ことを特徴とする請求項１乃至５のいずれか１項記載の補助記憶装置。
【請求項７】
前記動作指示手段は、前記切替スイッチ手段の前記第１の設定状態を示す情報が、前記フレキシブルディスクドライブとして動作をしないことを示す予め定められた第３の設定状態に設定されたことに基づいて、前記フレキシブルディスクドライブとして動作をしないことを示す前記動作情報を出力する
ことを特徴とする請求項６記載の補助記憶装置。
【請求項８】
１枚のフレキシブルディスク媒体に記録可能なデータを保持する記憶領域を複数含むデータ記憶手段と、第１の設定状態を示す情報を出力する切替スイッチ手段と、を有する補助記憶装置が、
外部装置からリクエストを受信して出力し、
前記リクエストの応答を受け取って前記外部装置へ送信し、
前記リクエストを受け取り、前記第１の設定状態を示す情報に基づいて選択した前記記憶領域を利用して、前記リクエストに対応する前記フレキシブルディスク媒体をセットしたフレキシブルディスクドライブを擬似する処理を実行し、
前記処理を実行した結果を応答として出力する
補助記憶制御方法。
【請求項９】
１枚のフレキシブルディスク媒体に記録可能なデータを保持する記憶領域を複数含むデータ記憶手段を有するコンピュータに、
複数の第１の設定状態のいずれかを示す情報を出力する処理と、
外部装置からリクエストを受信して出力する処理と、
前記リクエストの応答を受け取って前記外部装置へ送信する処理と、
前記リクエストを受け取り、前記第１の設定状態を示す情報に基づいて選択した前記記憶領域を利用して、前記リクエストに対応する前記フレキシブルディスク媒体をセットしたフレキシブルディスクドライブを擬似する処理を実行する処理と、
前記処理を実行した結果を応答として出力する処理と、を実行させる
プログラム。
【発明の詳細な説明】
【技術分野】
【０００１】
本発明は、フレキシブルディスク媒体をセットしたフレキシブルディスクドライブを擬似する補助記憶装置、補助記憶制御方法及びプログラムに関する。
【背景技術】
【０００２】
フレキシブルディスク媒体をセットしたフレキシブルディスクドライブを擬似する補助記憶装置が知られている。
【０００３】
例えば、特許文献１は、ＵＳＢ（Ｕｎｉｖｅｒｓａｌ  Ｓｅｒｉａｌ  Ｂｕｓ）インタフェースで接続されるフレキシブルディスクドライブを擬似するリムーバブルメモリユニット（ＵＳＢメモリユニット）を開示する。特許文献１のＵＳＢメモリユニットは、ＵＳＢコントローラ、メモリ部、制御記憶部及び入出力部を有する。
【０００４】
メモリ部は、フレキシブルディスクドライブとして認識される記憶領域を含む。制御記憶部は、その記憶領域をフレキシブルディスクドライブとして認識させるための情報を記憶する。ＵＳＢコントローラは、制御記憶部に記憶された情報に基づいて、その記憶領域をフレキシブルディスクドライブにセットされたフレキシブルディスク媒体の記憶領域と見做してアクセスする。入出力部は、外部装置のＵＳＢポートとの間で、データの送受信を行う。
【０００５】
このような構成を有するリムーバブルメモリユニットは、外部に対してフレキシブルディスク媒体をセットされたフレキシブルディスクドライブを擬似する。
【先行技術文献】
【特許文献】
【０００６】
【特許文献１】特開２００８−１８６２２０号公報
【発明の概要】
【発明が解決しようとする課題】
【０００７】
しかしながら、上述した特許文献に記載されたＵＳＢメモリユニットは、1台のＵＳＢメモリユニットで一度に擬似できるフレキシブルディスク媒体が1枚だけであるという問題点がある。
【０００８】
その理由は、複数の擬似するフレキシブルディスク媒体を特定する手段を有していないからである。
【０００９】
本発明の目的は、上述した問題点を解決できる補助記憶装置、補助記憶制御方法及びプログラムを提供することにある。
【課題を解決するための手段】
【００１０】
本発明の補助記憶装置は、１枚のフレキシブルディスク媒体に記録可能なデータを保持する記憶領域を複数含むデータ記憶手段と、
第１の設定状態を示す情報を出力する切替スイッチ手段と、
外部装置からリクエストを受信して出力し、前記リクエストの応答を受け取って前記外部装置へ送信するインタフェース手段と
前記リクエストを受け取り、前記第１の設定状態を示す情報に基づいて選択した前記記憶領域を利用して、前記リクエストに対応する前記フレキシブルディスク媒体をセットしたフレキシブルディスクドライブを擬似する処理を実行し、前記処理を実行した結果を応答として出力する制御手段と、を有する。
【００１１】
本発明の補助記憶制御方法は、１枚のフレキシブルディスク媒体に記録可能なデータを保持する記憶領域を複数含むデータ記憶手段と、第１の設定状態を示す情報を出力する切替スイッチ手段と、を有する補助記憶装置が、
外部装置からリクエストを受信して出力し、
前記リクエストの応答を受け取って前記外部装置へ送信し、
前記リクエストを受け取り、前記第１の設定状態を示す情報に基づいて選択した前記記憶領域を利用して、前記リクエストに対応する前記フレキシブルディスク媒体をセットしたフレキシブルディスクドライブを擬似する処理を実行し、
前記処理を実行した結果を応答として出力する。
【００１２】
本発明のプログラムは、１枚のフレキシブルディスク媒体に記録可能なデータを保持する記憶領域を複数含むデータ記憶手段を有するコンピュータに、
複数の第１の設定状態のいずれかを示す情報を出力する処理と、
外部装置からリクエストを受信して出力する処理と、
前記リクエストの応答を受け取って前記外部装置へ送信する処理と、
前記リクエストを受け取り、前記第１の設定状態を示す情報に基づいて選択した前記記憶領域を利用して、前記リクエストに対応する前記フレキシブルディスク媒体をセットしたフレキシブルディスクドライブを擬似する処理を実行する処理と、
前記処理を実行した結果を応答として出力する処理と、を実行させる。
【発明の効果】
【００１３】
本発明は、１台の補助記憶装置で一度に複数のフレキシブルディスク媒体を擬似することが可能になるという効果がある。
【図面の簡単な説明】
【００１４】
【図１】図１は、第１の実施形態の構成を示すブロック図である。
【図２】図２は、第１の実施形態の外観を示す図である。
【図３】図３は、第１の実施形態におけるブロックの一例を示す図である。
【図４】図４は、第１の実施形態の切替スイッチ部の回路の一例を示す図である。
【図５】図５は、第１の実施形態の動作を示すフローチャートである。
【図６】図６は、第２の実施形態の構成を示すブロック図である。
【図７】図７は、第５の実施形態の構成を示すブロック図である。
【図８】図８は、第５の実施形態におけるブロックの一例を示す図である。
【図９】図９は、第６の実施形態の構成を示すブロック図である。
【発明を実施するための形態】
【００１５】
本発明を実施するための形態について図面を参照して詳細に説明する。尚、各図面及び明細書記載の各実施の形態において、同様の機能を備える構成要素には同様の符号が与えられている。
【００１６】
［第１の実施の形態］
図１は、本発明の第１の実施形態に係るＵＳＢメモリ（補助記憶装置とも呼ばれる）１００の機能的な構成を示すブロック図である。図２は、ＵＳＢメモリ１００の外観を示す図である。
【００１７】
尚、補助記憶装置は、本実施形態のようなＵＳＢメモリ１００に限らず、ＵＳＢインタフェース介して補助記憶装置として動作可能な携帯端末であっても良い。
【００１８】
図１を参照すると、ＵＳＢメモリ１００は、コントローラ（制御手段とも呼ばれる）１１０、切替スイッチ部１２０、フラッシュメモリ（データ記憶手段とも呼ばれる）１３０及びインタフェース部１４０とを含む。
【００１９】
＝＝＝フラッシュメモリ１３０＝＝＝
フラッシュメモリ１３０は、データを保持するブロック（記憶領域とも呼ばれる）を複数含む。これらのブロックそれぞれは、１枚のフレキシブルディスク媒体に相当する。
【００２０】
図３は、フラッシュメモリ１３０に含まれるブロック１３１の一例を示す図である。
【００２１】
＝＝＝切替スイッチ部１２０＝＝＝
切替スイッチ部１２０は、第１の設定状態を有するダイアルスイッチである。切替スイッチ部１２０は、設定された状態に対応する信号（以下、設定状態信号と呼ぶ、設定状態信号は設定状態を示す情報とも呼ばれる）をコントローラ１１０へ出力する。切替スイッチ部１２０は、図２に示す、利用者が操作するダイアル１２１と、利用者がスイッチの設定状態を確認する表示部１２２とを含む。
【００２２】
図４は、切替スイッチ部１２０の回路の一例を示す図である。図４のスイッチ１２６内の丸で囲んだ数字は、切替スイッチ部１２０の設定状態を示す数字である。例えば、図４において、スイッチ１２６は、設定状態「０」の接点１２７が導通の状態にある。この場合、接点１２７に対応する接続状態「０」の信号線がＬＯＷレベルとなる。即ち、図４に示す状態の切替スイッチ部１２０は、設定状態「０」の信号線にＬＯＷレベルを出力し、他の信号線をハイ・インピーダンスとする。コントローラ１１０は、設定状態「０」の信号線のＬＯＷレベルを検出し、切替スイッチ部１２０の設定状態が「０」であることを検出する。
【００２３】
一例として、設定状態「０」、「１」、・・・「７」は、フラッシュメモリ１３０のブロック（０）、ブロック（１）、・・・ブロック（７）を選択した状態に対応する。
【００２４】
尚、切替スイッチ部１２０は、ダイアルスイッチに限らず、ロータリスイッチ、スライドスイッチ、ディップスイッチまたはその他の構造のスイッチであってよい。また、表示部１２２は、現状の設定状態に対応する記号（例えば、番号）を窓から見せるような構造、現状の設定状態に対応する記号をしるし（例えば、矢印）で示すような構造、または、現状の設定状態に対応する記号を発光ダイオードや液晶デバイスに表示する方法であってよい。また、内部の設定状態が外部から明らかな構造のスイッチを使用する場合、切替スイッチ部１２０は、表示部１２２を含まなくてもよい。
【００２５】
また、補助記憶装置として動作可能な携帯端末で実施する場合、切替スイッチ部１２０は、携帯端末のアプリケーションとしてソフトウェア的に実現されても良い。
【００２６】
＝＝＝インタフェース部１４０＝＝＝
インタフェース部１４０は、フラッシュメモリ１３０と外部装置（例えば、コンピュータ）とを接続する。インタフェース部１４０は、外部装置とコントローラ１１０間のリクエスト、応答及びデータの送受信を仲介する。インタフェース部１４０は、図２に示すような、フラッシュメモリ１３０を外部装置のＵＳＢポートに接続するためのＵＳＢコネクタ１４１を含む。尚、ＵＳＢコネクタ１４１は、ＵＳＢメモリ１００の本体とケーブルを介して接続されていてもよい。
【００２７】
＝＝＝コントローラ１１０＝＝＝
コントローラ１１０は、インタフェース部１４０を経由して、外部装置からフレキシブルディスクドライブに対するリクエストを受け取る。尚、例えば受け取ったリクエストがライトの場合、そのリクエストは書き込みデータを含む。
【００２８】
次に、コントローラ１１０は、受け取ったリクエストに対応する、フレキシブルディスク媒体をセットしたフレキシブルディスクドライブを擬似する処理を実行する。
【００２９】
次に、コントローラ１１０は、インタフェース部１４０を経由して、応答を出力する。その応答は、受け取ったリクエストに対応するフレキシブルディスクドライブの動作を擬似した処理の結果である。尚、例えば受け取ったリクエストがリードの場合、そのリクエストに対する応答は読み出しデータを含む。
【００３０】
そのリクエストに対してフレキシブルディスクドライブの動作を擬似して応答するために、コントローラ１１０は、選択したブロック１３１を、フレキシブルディスクドライブにセットされた特定のフレキシブルディスク媒体の、記憶領域として利用する。コントローラ１１０は、切替スイッチ部１２０から受け取った設定状態信号（例えば、設定状態が「０」であることを示す）に基づいて、フラッシュメモリ１３０内のブロック１３１（例えば、ブロック（０））を選択する。
【００３１】
例えば、リクエストがフレキシブルディスク媒体のアドレスｎから２５６バイトのリードである場合、コントローラ１１０は、選択したブロック１３１の先頭アドレスにｎを加算したアドレスから２５６バイトのデータを読み出す。尚、様々なリクエストの具体的な内容やそれらのリクエストに対する応答の具体的な内容は、周知技術であるため、説明を省略する。
【００３２】
次に、本実施形態の動作について、図１〜図５を参照して詳細に説明する。図５は、本実施形態の動作を示すフローチャートである。
【００３３】
ＵＳＢメモリ１００は、電源が供給されると稼動状態となり、図５に示す動作を開始する。ＵＳＢメモリ１００に電源が供給されるのは、例えば、ＵＳＢメモリ１００を外部装置のＵＳＢポートに取り付けた状態で、外部装置の電源を投入した場合、或いは、電源が入った状態の外部装置へＵＳＢメモリ１００を取り付けた場合である。
【００３４】
コントローラ１１０は、切替スイッチ部１２０の設定状態に基づいて、ブロック１３１を選択する（Ｓ１）。
【００３５】
次に、コントローラ１１０は、外部装置からのリクエストの有無を確認する（Ｓ２）。外部装置からのリクエストがない場合（Ｓ２でＮＯ）、処理はＳ１へ戻る。
【００３６】
外部装置からのリクエストがあった場合（Ｓ２でＹＥＳ）、コントローラ１１０は、リクエストの内容を解析する（Ｓ３）。
【００３７】
次に、コントローラ１１０は、リクエストの内容がリード及びライトの内のいずれかであるか、リード及びライトの内のいずれでもない（制御系のリクエストである）のかを判定する（Ｓ４）。リード及びライトの内のいずれでもない場合（Ｓ４でＮＯ）、処理は、Ｓ６へ進む。
【００３８】
リード及びライトの内のいずかである場合（Ｓ４でＹＥＳ）、コントローラ１１０は、選択したブロック１３１に、リクエストに対応してリードまたはライトの動作を実行する（Ｓ５）。
【００３９】
続けて、コントローラ１１０は、リクエストへの応答（フレキシブルディスクドライブを擬似する応答）を生成し、インタフェース部１４０を介して生成した応答を外部装置へ送信する（Ｓ６）。そして、処理はＳ２へ戻る。
【００４０】
ここで、応答は、リクエストの実行結果を含む。また、リクエストがリードである場合は、ブロック１３１から読み出したデータを、更に含む。
【００４１】
ＵＳＢメモリ１００は、電源を切断されるまで、本動作を繰り返す。
【００４２】
上述した本実施形態における効果は、１台のＵＳＢメモリ１００で一度に複数のフレキシブルディスク媒体を擬似することを可能にする点である。
【００４３】
その理由は、コントローラ１１０が、切替スイッチ部１２０から受け取った設定状態信号に基づいて選択した、フラッシュメモリ１３０内のブロック１３１を利用して、フレキシブルディスク媒体をセットしたフレキシブルディスクドライブを擬似する処理を実行するようにしたからである。
【００４４】
［第２の実施形態］
次に、本発明の第２の実施形態について説明する。以下、本実施形態の説明が不明確にならない範囲で、前述の説明と重複する内容については説明を省略する。
【００４５】
図６は、本実施形態の構成を示すブロック図である。図６に示すように本実施形態のＵＳＢメモリ２００は、媒体セット指示部２２０を更に含む。また、第２の実施形態は、第１の実施形態に比べて、コントローラ１１０の動作が異なる。
【００４６】
＝＝＝媒体セット指示部２２０＝＝＝
媒体セット指示部２２０は、フレキシブルディスク媒体が図示しないコンピュータ装置にセットされているか否かを使用者により設定され、その設定されたセットされているか否かを示す媒体セット情報を出力する。
【００４７】
コントローラ１１０は、受け取った媒体セット情報が、フレキシブルディスク媒体がセットされていないことを示している場合、フレキシブルディスク媒体がセットされていない状態のフレキシブルディスクドライブを擬似する処理を実行し、その処理を実行した結果を応答として出力する。
【００４８】
本実施形態では、媒体セット指示部２２０は、切替スイッチ部１２０の設定状態が、フレキシブルディスク媒体がセットされていないことを示す予め定められた特定の設定状態（第２の設定状態、例えば、「０」）に使用者により設定されたことに基づいて、フレキシブルディスク媒体がセットされていないことを示す媒体セット情報を出力する。
【００４９】
尚、媒体セット指示部２２０は、切替スイッチ部１２０とは別のスイッチを設けるようにしてもよい。
【００５０】
本実施形態のコントローラ１１０は、切替スイッチ部１２０から受け取った設定状態信号が、予め定められた特定の設定状態（第２の設定状態、例えば、「０」）を示している場合、フレキシブルディスク媒体がセットされていない状態のフレキシブルディスクドライブを擬似する処理を実行し、その処理を実行した結果を応答として出力する。
【００５１】
例えば、コントローラ１１０は、リクエストがリードであった場合、媒体がセットされていないためにデータを読み取れないことを示す、リードエラーの応答を出力する。
【００５２】
このようにした場合、例えば、コントローラ１１０を接続したまま外部装置を起動し、起動後の任意の時点で、外部装置にコントローラ１１０が擬似するフレキシブルディスク媒体がセットされたように見せることができる。これにより、プラグアンドプレイに対応していないオペレーティングシステムで動作する外部装置においても、コントローラ１１０を利用することが可能となる。このように利用者の利便性を向上させることができる。
【００５３】
上述した本実施形態における効果は、第１の実施形態の効果に加えて、フレキシブルディスク媒体がセットされていない状態のフレキシブルディスクドライブを擬似することを可能にする点である。
【００５４】
その理由は、コントローラ１１０が、切替スイッチ部１２０から受け取った設定状態信号が特定の設定状態を示す情報である場合、フレキシブルディスク媒体がセットされていない状態のフレキシブルディスクドライブを擬似する処理を実行し、その処理を実行した結果を応答として出力するようにしたからである。
【００５５】
［第３の実施形態］
次に、本発明の第３の実施形態について図面を参照して詳細に説明する。以下、本実施形態の説明が不明確にならない範囲で、前述の説明と重複する内容については説明を省略する。
【００５６】
第３の実施形態は、第１の実施形態に比べて、コントローラ１１０及びインタフェース部１４０の動作が異なる。
【００５７】
本実施形態のコントローラ１１０は、切替スイッチ部１２０から受け取った設定状態信号が変化した場合、変化後の設定状態信号に対応するフレキシブルディスク媒体がセットされたことを示す注意報告を生成し、出力する。
【００５８】
本実施形態のインタフェース部１４０は、その注意報告を受け取り、外部装置へ送信する。
【００５９】
上述した本実施形態における効果は、第１の実施形態の効果に加えて、フレキシブルディスク媒体のセットの操作を擬似することを可能にする点である。
【００６０】
その理由は、コントローラ１１０が、切替スイッチ部１２０から受け取った設定状態信号が変化した場合、変化後の設定状態信号に対応するフレキシブルディスク媒体がセットされたことを示す注意報告を生成し、インタフェース部１４０が、その注意報告を外部装置へ送信するようにしたからである。
【００６１】
［第４の実施形態］
次に、本発明の第４の実施形態について説明する。以下、本実施形態の説明が不明確にならない範囲で、前述の説明と重複する内容については説明を省略する。
【００６２】
第４の実施形態は、第１の実施形態に比べて、コントローラ１１０及びインタフェース部１４０の動作が異なる。
【００６３】
本実施形態のコントローラ１１０は、切替スイッチ部１２０から受け取った設定状態信号が変化した場合、変化後の設定状態信号に対応するフレキシブルディスク媒体が抜き取られたことを示す注意報告を生成し、出力する。
【００６４】
本実施形態のインタフェース部１４０は、その注意報告を受け取り、外部装置へ送信する。
【００６５】
上述した本実施形態における効果は、第１の実施形態の効果に加えて、フレキシブルディスク媒体を抜き取る操作を擬似することを可能にする点である。
【００６６】
その理由は、コントローラ１１０が、切替スイッチ部１２０から受け取った設定状態信号が変化した場合、変化後の設定状態信号に対応するフレキシブルディスク媒体が抜き取られたことを示す注意報告を生成し、インタフェース部１４０が、その注意報告を外部装置へ送信するようにしたからである。
【００６７】
［第５の実施形態］
次に、本発明の第５の実施形態について図面を参照して詳細に説明する。以下、本実施形態の説明が不明確にならない範囲で、前述の説明と重複する内容については説明を省略する。
【００６８】
図７は、本実施形態の構成を示すブロック図である。図７に示すように本実施形態のＵＳＢメモリ３００は、動作指示部３３０を更に含む。また、本実施形態は、第１の実施形態に比べて、コントローラ１１０の動作が異なる。
【００６９】
＝＝＝動作指示部３３０＝＝＝
動作指示部３３０は、フレキシブルディスクドライブとして動作をするか否かを使用者により設定され、その設定された動作をするか否かを示す動作情報を出力する。
【００７０】
コントローラ１１０は、受け取った動作情報が、フレキシブルディスクドライブとして動作をしないことを示している場合、フレキシブルディスクドライブ以外の記憶装置として処理を実行し、その処理を実行した結果を応答として出力する。
【００７１】
本実施形態では、動作指示部３３０は、切替スイッチ部１２０の設定状態が、フレキシブルディスクドライブとして動作をしないことを示す予め定められた特定の設定状態（第３の設定状態、例えば、「０」）に使用者により設定されたことに基づいて、フレキシブルディスクドライブとして動作をしないことを示す動作情報を出力する。
【００７２】
尚、動作指示部３３０は、切替スイッチ部１２０とは別のスイッチで実現されてもよい。
【００７３】
図８は、本実施形態におけるフラッシュメモリ１３０の内容の一例を示す図である。図８に示すように、本実施形態のフラッシュメモリ１３０は、ブロック１３１と記憶領域１３２とを含む。ブロック１３１は、図３で示すブロック１３１と同じものである。記憶領域１３２は、フラッシュメモリ１３０内に任意に定義した記憶領域である。
【００７４】
本実施形態のコントローラ１１０は、切替スイッチ部１２０から受け取った設定状態信号が、予め定められた特定の設定状態（第３の設定状態、例えば、「０」）を示している場合、フレキシブルディスクドライブ以外の予め定められた補助記憶装置（例えば、ＵＳＢメモリ）として処理を実行し、その処理を実行した結果を出力する。この場合、記憶領域１３２が、補助記憶装置となる。
【００７５】
上述した本実施形態における効果は、第１の実施形態の効果に加えて、１台のＵＳＢメモリ１００で複数のフレキシブルディスク媒体を擬似することとＵＳＢメモリそのものとして使用することの両立を可能にする点である。
【００７６】
その理由は、切替スイッチ部１２０から受け取った設定状態信号が特定の設定状態を示す情報である場合、フレキシブルディスクドライブ以外の予め定められた補助記憶装置として処理を実行するようにしたからである。
【００７７】
［第６の実施形態］
次に、本発明の第６の実施形態について図面を参照して詳細に説明する。以下、本実施形態の説明が不明確にならない範囲で、前述の説明と重複する内容については説明を省略する。
【００７８】
第６の実施形態は、プログラムにより所定の処理を実行する実施形態である。
【００７９】
図９は、本実施形態に係る携帯端末４００の構成を示すブロック図である。
【００８０】
図９に示すように、携帯端末４００は、ＣＰＵ（Ｃｅｎｔｒａｌ  Ｐｒｏｃｅｓｓｉｎｇ  Ｕｎｉｔ）４７０、記憶部４７１、記憶装置４７２、入力部４７３、出力部４７４、通信部４７５及びインタフェース部４７６を含む。
【００８１】
ＣＰＵ４７０は、オペレーティングシステム（不図示）を動作させて、本実施形態に係る携帯端末４００の全体の動作を制御する。また、ＣＰＵ４７０は、例えば記憶装置４７２に装着された不揮発性の記録媒体４７７から、プログラム（例えば、図５に示すフローチャートの動作をコンピュータに実行させるプログラム）やデータを読み込み、読み込んだプログラムやデータを記憶部４７１に書き込む。そして、ＣＰＵ４７０は、読み込んだプログラムに従って、また読み込んだデータに基づいて、図１に示すコントローラ１１０、切替スイッチ部１２０として各種の処理を実行する。
【００８２】
尚、ＣＰＵ４７０は、通信網（不図示）に接続されている外部コンピュータ（不図示）から、記憶部４７１にプログラムやデータをダウンロードするようにしてもよい。
【００８３】
尚、上述のプログラムのコードを記録した記録媒体（または記憶媒体）４７７が、携帯端末４００に供給され、ＣＰＵ４７０は、記録媒体に格納されたプログラムのコードを読み出し実行するようにしてもよい。或いは、ＣＰＵ４７０は、記録媒体４７７に格納されたプログラムのコードを記憶装置４７２に格納するようにしてもよい。
【００８４】
すなわち、本実施形態は、携帯端末４００が実行するためのソフトウェア（情報処理プログラム）を一時的に記憶するまたは非一時的に記憶する記録媒体４７７も含む。非一時的に記憶する記録媒体４７７は、不揮発性記憶媒体とも呼ばれる。
【００８５】
記憶部４７１は、プログラムやデータを記憶する。尚、記憶部４７１は、ブロック１３１を記憶してもよい。
【００８６】
記憶装置４７２は、例えば、光ディスク、フレキシブルディスク、磁気光ディスク、外付けハードディスク及び半導体メモリであって、不揮発性の記憶媒体を含む。記憶装置４７２は、プログラムをコンピュータ読み取り可能に記録する。また、記憶装置４７２は、データをコンピュータ読み取り可能に記録してもよい。尚、記憶装置４７２は、ブロック１３１を記憶してもよい。
【００８７】
入力部４７３は、例えば内蔵のキーボタンなどで実現され、入力操作に用いられる。入力部４７３は、内蔵のキーボタンに限らず、例えばマウスやキーボード、タッチパネル、加速度計、ジャイロセンサ、カメラなどでもよい。
【００８８】
出力部４７４は、例えばディスプレイで実現され、出力を確認するために用いられる。
【００８９】
通信部４７５は、携帯端末４００とネットワーク（不図示）とのインタフェースを実現する。
【００９０】
インタフェース部４７６は、図１に示すインタフェース部１４０と同等である。
【００９１】
また、前述のプログラムを記録した記録媒体４７７が携帯端末４００に供給され、携帯端末４００は、記録媒体４７７に格納されたプログラムを読み込み、実行してもよい。すなわち、本実施形態は、携帯端末４００が実行するプログラムを、一時的にまたは非一時的に、記憶する記録媒体の実施形態を含む。
【００９２】
上述した本実施形態における効果は、携帯端末４００においても、第１乃至５の実施形態と同様の効果を得ることを可能にする点である。
【００９３】
その理由は、プログラムにより所定の処理を実行するようにしたからである。
【００９４】
以上、各実施形態及び実施例を参照して本発明を説明したが、本発明は上記実施形態及び実施例に限定されるものではない。本発明の構成や詳細には、本発明のスコープ内で当業者が理解しえる様々な変更をすることができる。
【００９５】
以上の各実施形態で説明した各構成要素は、必ずしも個々に独立した存在である必要はない。例えば、各構成要素は、複数の構成要素が１個のモジュールとして実現されたり、１つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００９６】
以上説明した各実施形態における各構成要素及び各構成要素を実現するモジュールは、必要に応じ可能であれば、ハードウェア的に実現されても良いし、コンピュータ及びプログラムで実現されても良いし、ハードウェア的なモジュールとコンピュータ及びプログラムとの混在により実現されても良い。
【００９７】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００９８】
更に、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００９９】
更に、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【符号の説明】
【０１００】
１００    ＵＳＢメモリ
１１０    コントローラ
１２０    切替スイッチ部
１２１    ダイアル
１２２    表示部
１２６    スイッチ
１２７    接点
１３０    フラッシュメモリ
１３１    ブロック
１３２    記憶領域
１４０    インタフェース部
１４１    ＵＳＢコネクタ
２００    ＵＳＢメモリ
２２０    媒体セット指示部
３００    ＵＳＢメモリ
３３０    動作指示部
４００    携帯端末
４７０    ＣＰＵ
４７１    記憶部
４７２    記憶装置
４７３    入力部
４７４    出力部
４７５    通信部
４７６    インタフェース部
４７７    記録媒体
【図１】
2013143035.tif 000003
【図２】
2013143035.tif 000004
【図３】
2013143035.tif 000005
【図４】
2013143035.tif 000006
【図５】
2013143035.tif 000007
【図６】
2013143035.tif 000008
【図７】
2013143035.tif 000009
【図８】
2013143035.tif 000010
【図９】
2013143035.tif 000011